【手続補正書】
【提出日】平成25年6月3日(2013.6.3)
【手続補正１】
【補正対象書類名】特許請求の範囲
【補正対象項目名】全文
【補正方法】変更
【補正の内容】
【特許請求の範囲】
【請求項１】
ＡＣ電力を受けるように接続された配電ユニットと、
それぞれ複数の電気部品を含む複数のマザーボードと、
それぞれ前記配電ユニット及び１以上の前記マザーボードに接続された複数の電力供給装置であって、それぞれ、該配電ユニットからＡＣ電力を受けて、前記マザーボードにＤＣ電力を供給するように構成された前記複数の電力供給装置と、
前記複数のマザーボードのそれぞれに接続され、該複数のマザーボードにＤＣ電力を供給するように構成されたバックアップ電源と
を備えるサーバシステム。
【請求項２】
前記バックアップ電源が、前記マザーボードのそれぞれから熱的に隔絶されることを特徴とする請求項１に記載のシステム。
【請求項３】
前記バックアップ電源が、バックアップ電源電圧を増加するように直列に接続された複数のバッテリーからなることを特徴とする請求項１に記載のシステム。
【請求項４】
前記バックアップ電源が、バッッテリー故障に備えて冗長性を提供するように並列に接続された複数のバッテリーからなることを特徴とする請求項１に記載のシステム。
【請求項５】
前記バックアップ電源によって供給されるＤＣ電力は、前記電力供給装置によって供給されるＤＣ電力の電圧よりも低く保持されることを特徴とする請求項１に記載のシステム。
【請求項６】
公共サービスからの電力を受けるように接続され、且つ、前記配電ユニットにＡＣ電力を供給するよう接続されたサイト変圧器であって、前記公共サービスから受けた前記電力をより低い電圧に変圧する前記サイト変圧器を更に備えることを特徴とする請求項１に記載のシステム。
【請求項７】
前記サイト変圧器が、無停電電源なしに前記配電ユニットに接続されることを特徴とする請求項６に記載のシステム。
【請求項８】
前記サイト変圧器と前記配電ユニットとの間に接続された発電機であって、前記公共サービスからの前記電力の障害に応じて作動するように構成された前記発電機を更に備えることを特徴とする請求項１に記載のシステム。
【請求項９】
それぞれ、前記バックアップ電源と前記マザーボードの間に接続された複数のＤＣ／ＤＣレギュレータであって、該バックアップ電源からのＤＣ電力をより低い電圧に変換するように構成された前記ＤＣ／ＤＣレギュレータを更に備えることを特徴とする請求項１に記載のシステム。
【請求項１０】
それぞれ、前記バックアップ電源の電圧をモニタするように構成された複数の制御回路を更に備えることを特徴とする請求項１に記載のシステム。
【請求項１１】
前記制御回路は、前記バックアップ電源の電圧が低いときに、１以上の前記マザーボードを該バックアップ電源から切断するように構成されることを特徴とする請求項１０に記載のシステム。
【請求項１２】
前記制御回路が中央モニタシステムと通信可能に接続されることを特徴とする請求項１０に記載のシステム。
【請求項１３】
それぞれ、前記マザーボードに組み合わされた前記電力供給装置からの電力の障害に応じて、前記バックアップ電源を１以上の前記マザーボードに接続するように構成された複数の制御回路を更に備えることを特徴とする請求項１に記載のシステム。
【請求項１４】
前記配電ユニットからのＡＣ電力を使って前記バックアップ電源を再充電するために、少なくとも１つの電力供給装置を前記バックアップ電源に接続するように構成された少なくとも１つの制御回路を更に備える特徴とする請求項１に記載のシステム。
【請求項１５】
前記バックアップ電源に接続され、該バックアップ電源の再充電要求指示に応じて、該バックアップ電源を再充電するよう構成された外部充電システムを更に備えることを特徴とする請求項１に記載のシステム。
【請求項１６】
前記複数のマザーボードが、１又は複数のサーバラック内に配置されており、前記バックアップ電源は、前記１又は複数のサーバラック外に配置されている、請求項１に記載のシステム。
【請求項１７】
複数のサーバであって、それぞれ、
複数の電気部品を含むマザーボードと、
前記複数の電気部品に接続された電力線であって、ＤＣ電力を受けて、それを前記マザーボード上の該複数の電気部品に供給するための電力線と、
ＡＣ電力をＤＣ電力に変換するように構成された電力供給装置であって、前記電気部品にＤＣ電力を供給するように前記マザーボードに接続された前記電力供給装置と
を備える前記複数のサーバと、
前記複数のサーバにバックアップ用ＤＣ電力を供給するためのバックアップ電源に接続された複数の導体線であって、各サーバ毎に該サーバの前記電力線を前記バックアップ電源に電気的に接続する前記複数の導体線と
を具備するサーバシステム。
【請求項１８】
前記バックアップ電源が、前記サーバから熱的に隔絶されることを特徴とする請求項１７に記載のシステム。
【請求項１９】
前記バックアップ電源が、バックアップ電源電圧を増加するように直列に接続された複数のバッテリーからなることを特徴とする請求項１７に記載のシステム。
【請求項２０】
前記バックアップ電源が、バッッテリー故障に備えて冗長性を提供するように並列に接続された複数のバッテリーからなることを特徴とする請求項１７に記載のシステム。
【請求項２１】
前記バックアップ電源によって供給されるＤＣ電力は、前記電力供給装置によって供給されるＤＣ電力の電圧よりも低く保持されることを特徴とする請求項１７に記載のシステム。
【請求項２２】
前記サーバのそれぞれが、前記導体と前記マザーボードの間に接続されたＤＣ／ＤＣレギュレータであって、前記ＤＣ電力をより低い電圧に変換するように構成された前記ＤＣ／ＤＣレギュレータを更に備えることを特徴とする請求項１７に記載のシステム。
【請求項２３】
前記サーバのそれぞれが、前記バックアップ電源の電圧をモニタするように構成された制御回路を更に備えることを特徴とする請求項１７に記載のシステム。
【請求項２４】
前記制御回路は、それぞれ、前記導体上の電圧が低いときに、前記マザーボードを該導体から切断するように構成されることを特徴とする請求項２３に記載のシステム。
【請求項２５】
前記制御回路は、それぞれ、中央モニタシステムと通信可能に接続されることを特徴とする請求項２３に記載のシステム。
【請求項２６】
前記制御回路は、それぞれ、前記マザーボードに組み合わされた前記電力供給装置からの電力の障害に応じて、前記導体を１以上の前記マザーボードに接続するように構成された制御回路を更に備えることを特徴とする請求項１７に記載のシステム。
ステム。
【請求項２７】
前記複数のサーバが、１又は複数のサーバラック内に配置されており、前記バックアップ電源は、前記１又は複数のサーバラック外に配置されている、請求項１７に記載のシステム。
【請求項２８】
サーバシステムにバックアップ電源からのバックアップ電力を供給するための方法であって、該方法は、
公共サービスから或る場所でＡＣ電力を受けるステップと、
前記或る場所に設置された複数のサーバに前記受けたＡＣ電力を供給するステップと、
前記複数のサーバのそれぞれに前記バックアップ電源を接続するステップと、
前記公共サービスからの前記ＡＣ電力の障害のときに、前記バックアップ電源から前記複数のサーバにＤＣ電力を供給するステップ
を備える方法。
【請求項２９】
前記バックアップ電源を、前記複数のサーバのそれぞれから熱的に隔絶するステップを更に備えることを特徴とする請求項２８に記載の方法。
【請求項３０】
前記公共サービスからの前記ＡＣ電力の障害のときに、発電機を作動するステップと、
前記発動機の始動期間の後に、前記或る場所に設置された前記複数のサーバに、前記発電機からのＡＣ電力を供給するステップ
を更に備えることを特徴とする請求項２８に記載の方法。
【請求項３１】
前記サーバのそれぞれにおいて、前記バックアップ電源からのＤＣ電力をより低い電圧に変換するステップを更に備えることを特徴とする請求項２８に記載の方法。
【請求項３２】
前記バックアップ電源の電圧をモニタするステップと、
中央モニタシステムに前記モニタした電圧を伝えるステップと
を更に備えることを特徴とする請求項２８に記載の方法。
【請求項３３】
前記バックアップ電源の電圧が低いときに、１以上の前記マザーボードを前記バックアップ電源から切断するステップを更に備えることを特徴とする請求項２８に記載の方法。
【請求項３４】
前記複数のサーバが、１又は複数のサーバラック内に配置されており、前記バックアップ電源は、前記１又は複数のサーバラック外に配置されている、請求項２８に記載の方法。